(57)【要約】【課題】  壁下地構造に影響されずに開き戸を引戸に付け替えられ、閉時にガイドレールの露出を少なくして見栄えを良くする。【解決手段】引戸Ｄの開閉ストロークに対応する長さで引戸の幅より短い第１ガイドレール２０を扉枠Ｆの横枠材１３に沿わせて壁体Ｗの上壁面に取り付け、第１ガイドレールの戸尻側の上側には第１戸車２５を回転自在に取り付ける。一方、引戸の片側板面に、第１ガイドレールに合わせた長さの、第１戸車を係合させる第２ガイドレール３０を横向けに取り付け、第２ガイドレールの戸先側の下側に、第１ガイドレールに係合させる第２戸車３５を回転自在に取り付け、下端縁１９の戸先側と戸尻側に第３戸車４０・４５を回転自在に取り付ける。他方、床面Ｂ上に戸袋壁１２の幅方向に沿って第３戸車を係合させる第３ガイドレール５０を取り付け、合計４つの係合点のうち、常に少なくとも３点で引戸をスライド自在に支えた構造にする。【選択図】          図１
2006336374.tif 000002
【特許請求の範囲】
【請求項１】
壁体の開口部を開閉する既存の開き戸に代え、引戸を扉枠の外側に重ねて、前記開口部と前記壁体の戸袋壁に沿ってスライド自在に取り付けて付け替える扉付替システムであって、
前記扉枠の天井側に有する横枠材に沿わせて前記壁体の上壁面に取り付け、前記引戸の開閉ストロークに対応する長さで該引戸の幅より短い第１ガイドレールと、
該第１ガイドレールの戸尻側の上側に前記上壁面で軸支して回転自在に取り付ける第１戸車と、
前記開口部と対向する側の前記引戸の片側板面に横向けに取り付けて、前記第１戸車を係合させる、前記第１ガイドレールに合わせた長さの第２ガイドレールと、
該第２ガイドレールの戸先側の下側に前記引戸の片側板面で軸支して回転自在に取り付け、前記第１ガイドレールに係合させる第２戸車と、
前記戸袋壁の横でその幅方向に沿って床面上に取り付け、前記第１ガイドレールに合わせた長さの第３ガイドレールと、
前記引戸の下端縁の戸先側と戸尻側に取り付け、それぞれ前記第３ガイドレールに係合させる一対の第３戸車とを備え、
前記第１ガイドレールと前記第２戸車、前記第２ガイドレールと前記第１戸車、前記第３ガイドレールと一対の前記第３戸車とが係合する４箇所の係合点のうち、常に少なくとも３点で係合して前記引戸を支える構造としてなることを特徴とする、扉付替システム。
【請求項２】
前記第１および第２ガイドレールは、前記扉枠が前記壁体の壁面から立ち上がる扉枠高さより薄型な構造のレール体で形成し、前記第１ガイドレールを前記上壁面に面付けする一方、前記第２ガイドレールを前記引戸の片側板面に面付けして両ガイドレールが前記扉枠の高さ内に収まるように前記壁体に組み付けてなることを特徴とする、請求項１に記載の扉付替システム。
【発明の詳細な説明】
【技術分野】
【０００１】
本発明は、壁体にあけた開口部を開閉する既存の開き戸に代えて、引戸を扉枠の外側に重ねてスライド自在に取り付けて付け替える扉付替システムに関する。
【背景技術】
【０００２】
最近、建物内を介護に適した構造にリフォームする場合には、既存の各種扉の中で、回動開閉式の開き戸は取り外し、要介護者に優しいスライド開閉式の引戸に付け替える改造を行うことが多い。従来、開き戸を引戸に付け替える場合は、既存の扉枠から開き戸を取り外してから、たとえば図９に示すように、引戸１を、所謂アウトセット方式により、同じ扉枠２の外側（図中手前側）に重ねて、開口部３と壁体４の戸袋壁４ａに沿って左右に往復移動可能に取り付ける。そのため、壁体４には、上壁４ｂに長尺なガイドレール５を横向けに取り付ける一方、このガイドレール５に、開口部３と対向する板面に軸支した一対の戸車６・６を係合させて、引戸１を図示全閉位置と全開位置間を左右にスライド自在に吊持している。
【発明の開示】
【発明が解決しようとする課題】
【０００３】
ところが、従来、既存の開き戸を囲む扉枠周縁の壁体４は、通常、扉枠２の真上の上壁４ｂ内を除き、間柱など補強材のない壁下地構造なので、引戸１の長いガイドレール５を横向けに壁付けするには取付強度に乏しく、そのため、この壁下地構造が原因で、開き戸を簡単に引戸１に付け替えられない場合が多いという課題があった。
【０００４】
また、この扉枠周縁の壁体４が、仮にガイドレール５を取付可能に補強された壁下地構造である場合には、開き戸を引戸１に付け替えることが可能であっても、従来は、図９に示すように引戸１を閉めたときに、戸袋壁４ａからガイドレール５が正面に露出して見栄えが悪く、インテリア上、引戸周りの美観を低下させるという課題があった。
【０００５】
そこで、上記した課題を解決すべく、請求項１に記載の発明は、たとえば以下に示す図示実施の形態のとおり、壁体Ｗの開口部Ｓを開閉する既存の開き戸に代え、引戸Ｄを扉枠Ｆの外側に重ねて、前記開口部Ｓと前記壁体Ｗの戸袋壁１２に沿ってスライド自在に取り付けて付け替える扉付替システムであって、前記扉枠Ｆの天井側に有する横枠材１３に沿わせて前記壁体Ｗの上壁面１０ａに取り付け、前記引戸Ｄの開閉ストロークに対応する長さで該引戸Ｄの幅より短い第１ガイドレール２０と、該第１ガイドレール２０の戸尻側の上側に前記上壁面１０ａで軸支して回転自在に取り付ける第１戸車２５と、前記開口部Ｓと対向する側の前記引戸Ｄの片側板面１６に横向けに取り付けて、前記第１戸車２５を係合させる、前記第１ガイドレール２０に合わせた長さの第２ガイドレール３０と、該第２ガイドレール３０の戸先側の下側に前記引戸Ｄの片側板面１６で軸支して回転自在に取り付け、前記第１ガイドレール２０に係合させる第２戸車３５と、前記戸袋壁１２の横でその幅方向に沿って床面Ｂ上に取り付け、前記第１ガイドレール２０に合わせた長さの第３ガイドレール５０と、前記引戸Ｄの下端縁１９の戸先側と戸尻側に取り付け、それぞれ前記第３ガイドレール５０に係合させる一対の第３戸車４０・４５とを備え、前記第１ガイドレール２０と前記第２戸車３５、前記第２ガイドレール３０と前記第１戸車２５、前記第３ガイドレール５０と一対の前記第３戸車４０・４５とが係合する４箇所の係合点のうち、常に少なくとも３点で係合して前記引戸Ｄを支える構造としてなることを特徴とする。
【０００６】
請求項２に記載の発明は、請求項１に記載の扉付替システムにおいて、たとえば以下に示す図示実施の形態のとおり、前記第１および第２ガイドレール２０・３０は、前記扉枠Ｆが前記壁体Ｗの壁面から立ち上がる扉枠高さｈより薄型な構造のレール体で形成し、前記第１ガイドレール２０を前記上壁面１０ａに面付けする一方、前記第２ガイドレール３０を前記引戸Ｄの片側板面１６に面付けして両ガイドレール２０・３０が前記扉枠Ｆの高さｈ内に収まるように前記壁体Ｗに組み付けてなることを特徴とする。
【発明の効果】
【０００７】
請求項１に記載の発明によれば、扉枠周縁の壁下地構造に影響されることなく、常に引戸のガイドレールを壁付けして開き戸を簡単に引戸に付け替えることができる。また、付け替えた引戸で開口部を閉める状態のとき、従来の如く戸袋壁からガイドレールが露出することがなく、それだけ引戸周りの見栄えを良好とし、インテリア上の美観を向上させることができる。しかも、付け替えた引戸は、全閉位置と全開位置間を往復移動動するとき、ガイドレールと戸車とが係合する４箇所の係合点のうち、常に少なくとも３点で係合して支え、常に安定してスライド移動して開口部を開閉することができる。
【０００８】
請求項２に記載の発明によれば、第１ガイドレールが扉枠から手前に出っ張ることなく扉枠高さ内に収まるように壁体に面付けされ、第２ガイドレールも第１ガイドレールと共に扉枠の扉枠高さ内に収まるように付設され、その結果、壁体に引戸を面付けするためにわざわざ上壁面に彫り込みを設けるなど、大工など専門家による取付工程が必要でなくなり、それだけ素人でも簡単に引戸に付け替えることを可能にすることができる。
【発明を実施するための最良の形態】
【０００９】
以下、図面を参照しつつ、本発明の実施の形態について説明する。
【００１０】
図１は、本発明の扉付替システムを適用した引戸構造体を引戸全閉状態において示す正面図、図２は引戸構造体の壁体側の構造を示す分解斜視図、図３は引戸構造体の引戸側の構造を示す分解斜視図である。引戸構造体は、いずれも既存の壁体Ｗおよび扉枠Ｆと、付け替え用の引戸Ｄとを備える。
【００１１】
引戸構造体において、壁体Ｗは、少なくとも開口部Ｓの真上の上壁１０が間柱のような縦補強材で補強された壁下地構造であるとする。図中符号１２は、開口部Ｓを全開したとき引戸Ｄが重なる戸袋壁に相当する壁部分である。扉枠Ｆは、始めに取り外す開き戸（図示省略）の既存の戸枠体で、天井側横枠材１３と一対の縦枠材１４・１５とで矩形に開口部Ｓを枠付けしている。そして、壁体Ｗの壁面から立ち上がる扉枠Ｆの高さｈは、図示例では略９ｍｍとする。一方、引戸Ｄは、大小開口面積の異なる一般の開口部に対し使用できるように、例えば高さ２１００ｍｍの比較的縦長なパネルからなり、開口部Ｓと対向する側の片側板面１６の戸先寄りに、戸当り１７を横向けに付設している。そして、扉枠Ｆの外側に重ねて、壁体Ｗに沿って所定の開閉ストロークの長さ図中左右にスライド自在に組み付けるアウトセット構造になっている。
【００１２】
そこで、本発明の扉付替システムは、上記引戸構造体の壁体Ｗにおいて、上壁１０に取り付ける第１ガイドレール２０および第１戸車２５を備える一方、引戸Ｄにおいて、その片側板面１６に取り付ける第２ガイドレール３０および第２戸車３５と、同じ引戸Ｄの下端縁１９に取り付ける一対の第３戸車４０・４５を備える。他方、床面Ｂにおいて、戸袋壁１２の横に取り付ける第３ガイドレール５０を備える。
【００１３】
第１ガイドレール２０は、図２に示すように、金属板を曲げ加工したもので、平らな中央板部２０ａの両側端２０ｂ・２０ｂを各々略直角に曲げて立ち上げ、立ち上げた先端片を更に互いに向き合う側へ断面Ｌ形に屈曲させて、戸車係合部２０ｃ・２０ｃを形成してなる。両側端２０ｂ・２０ｂの立ち上げ高さは、上記扉枠Ｆの扉枠高さｈより小さく、全体に薄型に曲げ成形してなる。レール長は、引戸Ｄの開閉ストロークに対応する長さで、且つ引戸Ｄの幅よりは僅かに短い長さ寸法とする。そして、長さ方向両端には、それぞれ樹脂製のエンドブロック２１・２１を差し込んでレール体として組み立ててなる。第１戸車２５は、車輪の円周面中央に環状にガイド凹溝を有した滑車形で、取付用アングル２２の取付板部２２ａに枢軸１８で回転自在に取り付けてなる。
【００１４】
第２ガイドレール３０は、第１ガイドレール２０と同様に金属板を曲げ加工したもので、図３に示すように、平らな中央板部３０ａの両側端３０ｂ・３０ｂを各々略直角に曲げて立ち上げ、立ち上げた先端片を更に互いに向き合う側へ断面Ｌ形に屈曲させて、戸車係合部３０ｃ・３０ｃを形成してなる。また第１ガイドレール２０と同様、両側端３０ｂ・３０ｂの立ち上げ高さは、上記扉枠Ｆの扉枠高さｈより小さく、全体に薄型に曲げ成形し、レール長は、第１ガイドレール２０に合わせた長さ寸法で形成している。そして、両端に樹脂製エンドブロック２１を差し込んで組み立ててなる。第２戸車３５は、第１戸車２５と同様な形状の滑車形で、取付用アングル３２の取付板部３２ａに枢軸３３で軸支して回転自在に取り付けてなる。
【００１５】
第３戸車４０・４５は、第２戸車３５と反対に車輪の円周面に環状にガイド凸部を有したキャスタ形で、それぞれキャスタ用の取付ブラケット４１・４６に回転自在に取り付けている。そして、引戸Ｄの下端縁１９の戸先側と戸尻側の角部にあけた取付穴に、一部車輪が下端縁１９から下向きに露出した状態で、取付ブラケット４１・４６で軸支して回転自在に内設している。
【００１６】
一方、第３ガイドレール５０は、図２に示すように、帯状の金属板を曲げ加工したもので、平らな中央板部５０ａの幅方向中心を凹ませて長さ方向に車輪係合溝５０ｂを形成してなる。レール長は、第１および第２ガイドレール２０・３０に合わせて、引戸Ｄの開閉ストロークに対応する長さに形成している。
【００１７】
そこで、以上の部品構成からなる本発明の扉付替システムにおいて、既設の開き戸を引戸Ｄに付け替える場合、扉枠Ｆから開き戸を取り外してから、壁体Ｗには、第１ガイドレール２０を、開口部Ｓの真上で、扉枠Ｆの横枠材１３に沿わせて上壁１０に取り付ける。そのとき、第１ガイドレール２０は、戸車係合部２０ｃ・２０ｃを正面に向けて、中央板部２０ａを上壁面１０ａに面付けし、その結果、扉枠Ｆから手前に出っ張ることなく扉枠高さｈ内に収まるように組み付けられる。次いで、同じ上壁面１０ａには、第１ガイドレール２０の戸尻側の上側に、取付用アングル２２を取付板部２２ａにて面付けし、第１戸車２５を板面に沿って立てた縦向けに取り付け、その結果、第１ガイドレール２０と共に扉枠Ｆの扉枠高さｈ内に収まるように付設される。
【００１８】
一方、引戸Ｄには、図３に示すよう、片側板面１６の上端縁１６ａに幅方向に沿って第２ガイドレール３０を横向けに取り付ける。そのとき、第２ガイドレール２０は、戸車係合部２０ｃ・２０ｃを表側に向けて中央板部２０ａで片側板面１６に面付けする。また、引戸Ｄの片側板面１６には、第２ガイドレール３０の戸先側の下側に、取付用アングル３２を取付板部３２ａにおいて面付けし、第２戸車３５を板面に沿って立てた縦向けに取り付ける。
【００１９】
次いで、この引戸Ｄを持ち上げて、所謂アウトセット方式により、扉枠Ｆの外側（図１中手前側）に重ねて壁体Ｗに懸架する。そのとき、引戸Ｄは、図４に示すように、第２戸車３５を、壁体Ｗ側の第１ガイドレール２０の戸車係合部２０ｃ・２０ｃに係合する一方、図５に示すように、第２ガイドレール３０の戸車係合部３０ｃ・３０ｃに第１戸車３５を係合させると共に、第３戸車４０・４５を、床面Ｂ側の第３ガイドレール５０の車輪係合溝５０ｂに係合する。そして、引戸Ｄを、全閉位置（図１・図６参照）と全開位置（図７・図８参照）との間を開口部Ｓと戸袋壁１２に沿ってスライド往復可能に壁体Ｗに取り付けて付け替える。すると、引戸Ｄは、全閉位置と全開位置間を往復移動するとき、第１ガイドレール２０と第２戸車３５、第２ガイドレール３０と第１戸車２５、第３ガイドレール５０と一対の第３戸車４０・４５とが係合する合計４箇所の係合点のうち、常に少なくとも３点で係合して支えられる構造になっている。
【００２０】
従って、以上の扉付替システムを適用した引戸構造体では、引戸Ｄを押し引きし、それに応じて開口部Ｓを開閉すると、第１ガイドレール２０の戸車係合部２０ｃ・２０ｃに沿って第２戸車３５が転動する一方、第２ガイドレール３０の戸車係合部３０ｃ・３０ｃに沿って第１戸車２５が転動すると共に、第３ガイドレール５０の車輪係合溝５０ｂに沿って第３戸車４０又は第３戸車４５が転動しながら、引戸Ｄをスライドさせて往復移動させる。そして、引戸Ｄをスライドさせて開口部Ｓを閉じるとき、図１および図６に示すように、戸当り１７の戸先側ゴム１７ａが戸先側縦枠材１４に当たって引戸Ｄを停止し、開口部Ｓが全閉した全閉位置に位置決める。そして、このように引戸Ｄで開口部Ｓを閉める状態のとき、戸尻側の戸袋壁１２から第１ガイドレール２０が露出することがなく、それだけ引戸周りの見栄えを良くしている。一方、引戸Ｄをスライドさせて開口部Ｓを開くときは、図７および図８に示すように、戸当り１７は、戸尻側の戸当りゴム１７ｂが戸尻側縦枠材１５に当たって引戸Ｄを停止して開口部１０が全開した開位置に位置決める。
【００２１】
そこで、本発明の扉付替システムでは、図１および図６に示すように、引戸Ｄが全閉位置にあるときは、第１ガイドレール２０と第２戸車３５、第２ガイドレール３０と第１戸車２５、第３ガイドレール５０と戸尻側の第３戸車４５の合計３箇所で係合し、これら３つの係合点で引戸Ｄを支持する。一方、図７および図８に示すように、引戸Ｄが全開位置にあるときは、第１ガイドレール２０と第２戸車３５、第２ガイドレール３０と第１戸車２５が略上下に重なる位置で係合する１つの係合点と、第３ガイドレール５０と第３戸車４０および第３戸車４５の２つの係合点の合計３箇所で係合し、これら３つの係合点で引戸Ｄを支持する。他方、引戸Ｄが半開きの停止位置にあったり又は開閉移動途中のときは、第１ガイドレール２０と第２戸車３５、第２ガイドレール３０と第１戸車２５、第３ガイドレール５０と戸尻側の第３戸車４５の合計３箇所で係合し、これら３つの係合点で引戸Ｄを支持することになる。このように引戸Ｄは、全閉位置と全開位置間を往復移動するとき、第１ガイドレール２０と第２戸車３５、第２ガイドレール３０と第１戸車２５、第３ガイドレール５０と一対の第３戸車４０・４５とが係合する４箇所の係合点のうち、常に少なくとも３点で係合して支えられる。従って、引戸Ｄは、常に安定してスライド移動し、開口部Ｓを開閉することができる。
【図面の簡単な説明】
【００２２】
【図１】本発明の扉付替システムを適用した引戸構造体を引戸全閉状態において示す正面図である。
【図２】引戸構造体の壁体側の構造を示す分解斜視図である。
【図３】引戸構造体の引戸側の構造を示す分解斜視図である。
【図４】図１中線Ｘ―Ｘに沿って得た縦断面図である。
【図５】図１中線Ｙ―Ｙに沿って得た縦断面図である。
【図６】図１と同様に引戸構造体を引戸全閉状態において示す斜視図である。
【図７】引戸構造体を引戸全開状態において示す正面図である。
【図８】図７と同様に引戸構造体を引戸全開状態において示す斜視図である。
【図９】従来の扉付替システムを適用した引戸構造体を引戸全閉状態において示す正面図である。
【符号の説明】
【００２３】
Ｄ            引戸
Ｂ            床面
Ｆ            扉枠
Ｓ            開口部
Ｗ            壁体
ｈ            扉枠高さ
１０ａ        上壁面
１２          戸袋壁
１３          横枠材
１４・１５    縦枠材
１６          引戸の片側板面
２０          第１ガイドレール
２５          第１戸車
３０          第２ガイドレール
３５          第２戸車
４０・４５    第３戸車
５０          第３ガイドレール
【図１】
2006336374.tif 000003
【図２】
2006336374.tif 000004
【図３】
2006336374.tif 000005
【図４】
2006336374.tif 000006
【図５】
2006336374.tif 000007
【図６】
2006336374.tif 000008
【図７】
2006336374.tif 000009
【図８】
2006336374.tif 000010
【図９】
2006336374.tif 000011